(57)【要約】【課題】モニタ装置の上下方向の向きを所定状態に維持したままモニタ装置の高さ位置を広い範囲で調整できるようにした支持具を提供する。【解決手段】支持具１０はベース部１２、回動部１４、モニタ取付部１６を具える。ベース部１２はモニタ装置を設置しようとする箇所に装着される。回動部１４はベース部１２に、回動軸１８を中心に９０°以上の角度範囲で回動自在に連結支持されている。回動部１４の先端部にはモニタ取付部１６が回動軸２０を中心に９０°以上の角度範囲で回動自在に連結支持される。モニタ取付部１６にはモニタ装置２５が装着される。回動部１４は、互いに間隙を隔てて配置される左右のアーム５８，６０の両端部間を互いに平行に配置される基端部側軸棒６２と自由端部側軸棒６４でそれぞれ繋いで全体として枠状に構成されている。【選択図】図１
2010076459.tif 000002
【特許請求の範囲】
【請求項１】
モニタ装置を設置しようとする箇所に装着されるベース部と、
互いに間隙を隔てて配置される左右のアームの両端部間を互いに平行に配置される基端部側軸棒と自由端部側軸棒でそれぞれ繋いで全体として枠状に構成された回動部とを具備し、
前記基端部側軸棒は前記ベース部に該基端部側軸棒の軸回り方向に回動自在に支持され、もって前記回動部は該ベース部に該基端部側軸棒の軸回り方向に回動自在に支持され、
前記自由端部側軸棒は前記モニタ装置を該自由端部側軸棒の軸回り方向に回動自在に支持する
モニタ装置の支持具。
【請求項２】
前記基端部側軸棒は前記ベース部内に通されて、前記回動部は前記左右のアームで前記ベース部材の上部を跨ぎながら回動する請求項１記載のモニタ装置の支持具。
【請求項３】
前記基端部側軸棒がその軸方向中間位置に大径部を有し、
前記ベース部は該ベース部内で前記大径部を挟み込むことにより該挟み込みによる摩擦力で前記回動部を任意の回動角度に保持する請求項１または２記載のモニタ装置の支持具。
【請求項４】
前記大径部が球状に形成され、前記基端部側軸棒が少なくとも、該球の中心を通り該支持具の前後方向に延びる軸の回り方向に揺動自在に前記ベース部に支持されている請求項３記載のモニタ装置の支持具。
【請求項５】
前記自由端部側軸棒に該自由端部側軸棒の軸回り方向に回動自在に連結支持されたモニタ取付部をさらに具備し、
前記モニタ装置が前記モニタ取付部を介して前記自由端部側軸棒に支持され、
該モニタ取付部が前記モニタ装置を少なくとも、該支持具の前後方向に延びる軸の回り方向に傾動自在に支持する請求項１から３のいずれか１つに記載のモニタ装置の支持具。
【請求項６】
前記モニタ取付部が前記自由端部側軸棒に該自由端部側軸棒の軸回り方向に回動自在に連結支持された第二回動部と、該第二回動部にピボットで傾動自在に連結支持された据付部とを具備し、前記モニタ装置は該据付部に装着される請求項５記載のモニタ装置の支持具。
【請求項７】
前記ベース部の上面に前記基端部側軸棒を支持する凹所が形成され、該凹所に該基端部側軸棒を収容した状態で該基端部側軸棒に上方から被さるように該ベース部の上面に押さえ板が被せられ、該押さえ板は該ベース部の上面にねじ止めされ、もって該基端部側軸棒は該ベース部に該基端部側軸棒の軸回り方向に回動自在に支持される請求項１から６のいずれか１つに記載のモニタ装置の支持具。
【請求項８】
前記ベース部は吸着面を下方に露出させた吸盤と該吸盤を上方から覆うカバーを有し、
前記吸盤の上面中央部に引き棒が立設され、
該引き棒は前記カバーを貫通して上方に突出し、
該引き棒の該突出した部分には前記押さえ板に被さる蓋部が回動自在に連結され、
該蓋部の基端部には前記カバーの上面に当接するカム部が形成され、
前記吸盤を前記設置箇所の面に吸着させて前記蓋部を閉位置方向に回動させたときに、該蓋部の前記カム部と前記カバーの上面との当接により前記引き棒が引き上げられ、該引き上げに連動して前記吸盤の中央部が引き上げられて、該吸盤と被吸着面との間に形成されている空間が負圧化されて吸着力が発生する請求項７記載のモニタ装置の支持具。
【請求項９】
前記自由端部側軸棒を中心とした前記モニタ装置の回動により該モニタ装置の上下方向の向きを所定状態に維持したまま、前記回動部が前記基端部側軸棒を中心として９０°以上回動可能である請求項１から８のいずれか１つに記載のモニタ装置の支持具。
【発明の詳細な説明】
【技術分野】
【０００１】
この発明はモニタ装置を設置するための支持具に関し、モニタ装置の上下方向の向きを所定状態に維持したままモニタ装置の高さ位置を広い範囲で調整できるようにしたものである。
【背景技術】
【０００２】
例えば車載用のモニタ装置の支持具はモニタ装置を車内に設置支持した状態で該モニタ装置の高さ位置や角度を運転者等が広い範囲で調整できる必要がある。従来の車載用のモニタ装置の支持具として下記特許文献１，２に記載されたものがあった。特許文献１，２記載の支持具はいずれもモニタ装置を吸盤を用いて車内の設置箇所に設置したものである。このうち特許文献１記載の支持具は設置箇所に装着されるベース部分にレバーの下端部を連結し、該レバーの上端部にモニタ装置を上下方向に傾動自在に連結したものである。特許文献２記載の支持具は設置箇所に装着されるベース部にレバーの下端部を回動自在に連結し、該レバーの上端部にモニタ装置をピボット（球による連結構造）で傾動自在に連結したものである。
【０００３】
【特許文献１】特開２００７−１５４９３３号公報
【特許文献２】特開２００７−２８５４８５号公報
【発明の開示】
【発明が解決しようとする課題】
【０００４】
特許文献１記載の支持具によれば、レバーは吸盤の吸着状態を保持するために常に起立状態で使用されるため、モニタ装置の高さ位置を調整することはできない。したがってモニタ装置はレバーの上端部位置で上下方向の角度を調整できるのみであり、運転者等が望む高さ位置に調整することはできない。これに対し特許文献２記載の支持具によれば、レバーをベース部分に対し回動させることによりモニタ装置の高さ位置を調整することができるが、ピボットによる支持構造は傾動可能な角度範囲が狭いため、モニタ装置の上下方向の向きを所定状態に維持したままモニタ装置の高さ位置を広い範囲で調整することはできなかった。
【０００５】
この発明は上述の点に鑑みてなされたもので、モニタ装置の上下方向の向きを所定状態に維持したままモニタ装置の高さ位置を広い範囲で調整できるようにしたモニタ装置の支持具を提供しようとするものである。
【課題を解決するための手段】
【０００６】
この発明はモニタ装置を設置しようとする箇所に装着されるベース部と、互いに間隙を隔てて配置される左右のアームの両端部間を互いに平行に配置される基端部側軸棒と自由端部側軸棒でそれぞれ繋いで全体として枠状に構成された回動部とを具備し、前記基端部側軸棒は前記ベース部に該基端部側軸棒の軸回り方向に回動自在に支持され、もって前記回動部は該ベース部に該基端部側軸棒の軸回り方向に回動自在に支持され、前記自由端部側軸棒は前記モニタ装置を該自由端部側軸棒の軸回り方向に回動自在に支持するものである。これによれば基端部側軸棒はベース部に該基端部側軸棒の軸回り方向に回動自在に支持され、自由端部側軸棒はモニタ装置を該自由端部側軸棒の軸回り方向に回動自在に支持するので、モニタ装置を自由端部側軸棒の軸回り方向に回動させてモニタ装置の上下方向の向きを所定状態に維持したまま、回動部を基端部側軸棒の軸回り方向に回動に回動させることによりモニタ装置の高さ位置を広い範囲で調整することができる。
【０００７】
この発明は前記基端部側軸棒は前記ベース部内に通されて、前記回動部は前記左右のアームで前記ベース部材の上部を跨ぎながら回動するように構成することができる。またこの発明は前記基端部側軸棒がその軸方向中間位置に大径部を有し、前記ベース部は該ベース部内で前記大径部を挟み込むことにより該挟み込みによる摩擦力で前記回動部を任意の回動角度に保持するように構成することができる。この場合、前記大径部が球状に形成され、前記基端部側軸棒が少なくとも、該球の中心を通り該支持具の前後方向に延びる軸の回り方向に揺動自在に前記ベース部に支持されているものとすることができる。またこの発明は前記自由端部側軸棒に該自由端部側軸棒の軸回り方向に回動自在に連結支持されたモニタ取付部をさらに具備し、前記モニタ装置が前記モニタ取付部を介して前記自由端部側軸棒に支持され、該モニタ取付部が前記モニタ装置を少なくとも、該支持具の前後方向に延びる軸の回り方向に傾動自在に支持するものとすることができる。この場合前記モニタ取付部が前記自由端部側軸棒に該自由端部側軸棒の軸回り方向に回動自在に連結支持された第二回動部と、該第二回動部にピボットで傾動自在に連結支持された据付部とを具備し、前記モニタ装置は該据付部に装着されるものとすることができる。
【０００８】
さらにこの発明は前記ベース部の上面に前記基端部側軸棒を支持する凹所が形成され、該凹所に該基端部側軸棒を収容した状態で該基端部側軸棒に上方から被さるように該ベース部の上面に押さえ板が被せられ、該押さえ板は該ベース部の上面にねじ止めされ、もって該基端部側軸棒は該ベース部に該基端部側軸棒の軸回り方向に回動自在に支持されるものとすることができる。この場合前記ベース部は吸着面を下方に露出させた吸盤と該吸盤を上方から覆うカバーを有し、前記吸盤の上面中央部に引き棒が立設され、該引き棒は前記カバーを貫通して上方に突出し、該引き棒の該突出した部分には前記押さえ板に被さる蓋部が回動自在に連結され、該蓋部の基端部には前記カバーの上面に当接するカム部が形成され、前記吸盤を前記設置箇所の面に吸着させて前記蓋部を閉位置方向に回動させたときに、該蓋部の前記カム部と前記カバーの上面との当接により前記引き棒が引き上げられ、該引き上げに連動して前記吸盤の中央部が引き上げられて、該吸盤と被吸着面との間に形成されている空間が負圧化されて吸着力が発生するように構成することができる。
【０００９】
この発明は前記自由端部側軸棒を中心とした前記モニタ装置の回動により該モニタ装置の上下方向の向きを所定状態に維持したまま、前記回動部が前記基端部側軸棒を中心として９０°以上回動可能とすることができる。
【発明を実施するための最良の形態】
【００１０】
この発明の実施の形態を説明する。この実施の形態ではこの発明を車載モニタ装置の支持具（車載用モニタスタンド）に適用した場合について説明する。
【００１１】
《実施の形態１》
この発明の実施の形態１を説明する。はじめに図２を参照してこの実施の形態による支持具１０の概要を説明する。支持具１０はベース部１２、回動部１４、モニタ取付部１６を具える。ベース部１２は自動車の車室内でモニタ装置を設置しようとする箇所に、内蔵する吸盤３０（図１）を用いて装着される。回動部１４はベース部１２に、回動軸１８を中心に９０°以上の角度範囲で回動自在に連結支持されている。回動軸１８はベース部１２の凹所２８（図１）の開口端面が属する平面に対し平行に配置されている。モニタ取付部１６は回動部１４の先端部に、回動軸２０を中心に９０°以上の角度範囲で回動自在に連結支持された第二回動部２２と、第二回動部２２の中央部上面に形成されたピボット２３（図１）に連結支持された据付部２４を具える。回動軸２０は回動軸１８に対し平行に配置されている。据付部２４の前面２４ａにはカーナビゲーションシステムの表示装置を構成する液晶ディスプレイ等によるモニタ装置２５（図１、図３）がねじを用いて着脱自在に装着される。以上の構成によれば、ベース部１２をダッシュボード上に吸盤３０で装着した状態で、回動部１４を回動軸１８を中心に回動させることによりモニタ装置２５の高さ位置が調整される。このとき回動部１４はベース部１２に対し、調整された回動角度に保持される。また第二回動部２２を回動軸２０を中心に回動させることによりモニタ装置２５の上下方向の角度が調整される。このとき第二回動部２２は回動部１４に対し、調整された回動角度に保持される。また据付部２４をピボット２３を中心に傾動させることによりモニタ装置２５の傾きが調整される。このとき据付部２４は第二回動部２２に対し、調整された傾動角度に保持される。
【００１２】
次に支持具１０の各部の詳細構成を主に図１を参照して説明する。ベース部１２は硬質合成樹脂、金属等で構成されたカバー２６を具える。カバー２６は下方に開口する凹所２８を有する。凹所２８には吸盤３０が収容配置される。吸盤３０の吸着面３２は下方に向けられている。吸盤３０の吸着面３２の全面には粘着性のある高分子ゲル層として高分子ゲルシート３３が高分子ゲルシート３３自身の粘着性を利用して着脱自在に貼り付けられている。高分子ゲルシート３３が貼り付けられた吸盤３０は吸盤作用によりダッシュボード等の被吸着面３５に吸着する。このとき高分子ゲルシート３３は被吸着面３５に粘着して吸盤３０による吸着力を保持して該吸着状態を長期間にわたり維持する働きをする。
【００１３】
高分子ゲルシート３３の面内の内周側寄りの位置には周方向に異なる複数位置および径方向に異なる複数位置に複数個の空気抜き穴３３ａが形成されている。この空気抜き穴３３ａの存在により、高分子ゲルシート３３を吸盤３０の吸着面３２に貼り付けるときに、吸着面３２と高分子ゲルシート３３の間の空気をこの空気抜き穴３３ａを通して抜くことができ、これにより高分子ゲルシート３３による十分な吸着力保持効果を得ることができる。また長年の使用等により高分子ゲルシート３３が劣化して高分子ゲルシート３３を新品に交換するときにも、吸着面３２と新しい高分子ゲルシート３３との間の空気をこの空気抜き穴３３ａを通して容易に抜くことができるので、交換後も高分子ゲルシート３３による十分な吸着力保持効果を得ることができる。また高分子ゲルシート３３の面内の外周側寄りの位置には周方向に均等の間隔で４個の位置ズレ防止穴３３ｂが形成されている。この位置ズレ防止穴３３ｂには吸盤３０の吸着面３２に形成された位置ズレ防止凸部３０ａが嵌め込まれる。これにより支持具１０を被吸着面３５に装着するときあるいは装着後の通常使用時等に高分子ゲルシート３３が吸着面３２に対してずれるのが防止される。
【００１４】
高分子ゲルシート３３における空気抜き穴３３ａと位置ズレ防止穴３３ｂの配置パターン例を図４に示す。高分子ゲルシート３３は吸盤３０と同等の外形を有する。この実施の形態の吸盤３０は円形であり、高分子ゲルシート３３は吸盤３０と同一外径の円形に構成されている。空気抜き穴３３ａは２つの径方向位置に同心円状に配置されている。このうち内周側の空気抜き穴３３ａは周方向に均等間隔で４個配置されている。また外周側の空気抜き穴３３ａは周方向に均等間隔で８個配置されている。内周側の４個の空気抜き穴３３ａと外周側の８個の空気抜き穴３３ａの一部は同一周方向位置で放射状に配列されている。位置ズレ防止穴３３ｂは空気抜き穴３３ａよりも外周側の１つの径方向位置に周方向に均等間隔で４個配置されている。
【００１５】
図１において、吸盤３０の周縁部上面３０ｂはその全周がカバー２６の周縁部下面２６ａに当接支持される。カバー２６の最外周部には吸盤３０の外周縁部を包囲して隠す縁部２６ｂが下方に向けて全周にわたり突出形成されている。カバー２６の外周部にはベース部１２を被吸着面３５から外すときに指をかけるための隆起部２６ｃが２箇所に形成されている。吸盤３０の中央部には硬質合成樹脂、金属等で構成された円盤４０が埋め込まれている。円盤４０の中央部上面には円盤４０と一体に、扁平な横断面形状を有する引き棒４２が上方に突出して形成されている。引き棒４２はカバー２６の上面中央部に形成された穴４４に通されてカバー２６の上方に突出している。引き棒４２はカバー２６に対し上下方向に移動可能とされている。引き棒４２の上部には蓋部４６が軸棒４８で回動自在に連結され、これにより蓋部４６は軸棒４８の中心を通る回動軸５０を中心に回動自在とされている。回動軸５０は回動軸１８，２０と平行に配置されている。蓋部４６はカバー２６上に露出する押さえ板５４およびねじ５６の頭部を隠す機能と、蓋部４６の基端部に構成されているカム部５７（図５、図６、図７）とカバー２６の上面との当接により引き棒４２をカバー２６に対し引き上げる機能を有する。カバー２６の上面には回動部１４の基端部側軸棒６２の下側半分を収容して支持する凹部５２が形成されている。カバー２６の上面には基端部側軸棒６２の上側半分を収容する押さえ板５４が４本のねじ５６により固定されている。４本のねじ５６はカバー２６を貫通してカバー２６の凹所２８内でナット（図示せず）にねじ込まれて固定される。これにより基端部側軸棒６２はその中心軸を通る回動軸１８を中心に回動自在にベース部１２に支持される。押さえ板５４と４本のねじ５６は、蓋部４６を閉位置に回動させることにより外部から隠されて見えなくなる。
【００１６】
カバー２６の上面中央部には金属板５９が埋め込まれている。金属板５９の中央部にはカバー２６に形成された穴４４に連通する穴５９ａが形成され、この穴５９ａには引き棒４２が通されている。蓋部４６の基端部に構成されているカム部５７（図５、図６、図７）は、蓋部４６を閉位置方向に回動させることにより金属板５９の表面に当接して引き棒４２を吸盤３０の中央部を伴って引き上げる。
【００１７】
回動部１４は図３に明確に示されているように、互いに間隙を隔てて配置された左右のアーム５８，６０と、アーム５８，６０の基端部間を相互に連結する基端部側軸棒６２と、アーム５８，６０の自由端部間を相互に連結する自由端部側軸棒６４を具え、全体として矩形の枠状に構成されている。この実施の形態ではアーム５８，６０と基端部側軸棒６２は硬質合成樹脂で一体に構成されている。基端部側軸棒６２の軸方向中央部には球状に膨出した大径部６６が形成されている。大径部６６は基端部側軸棒６２の一部を大径にすることにより、基端部側軸棒６２とカバー２６および押さえ板５４との間に生じる摩擦力を大きくする働きをするものである。この摩擦力により回動部１４はモニタ装置２５の荷重により下方に回動するのが防止される。基端部側軸棒６２とカバー２６および押さえ板５４との間に生じる摩擦力は、押さえ板５４をカバー２６に装着する４本のねじ５６を前記ナットにねじ込むねじ込み量により調整することができる。したがってこのねじ込み量によりこの摩擦力を適度な大きさに予め設定しておくことにより、運転者等はモニタ装置２５に手で力を加えてベース部１２に対する回動部１４の回動位置（つまりモニタ装置２５の高さ位置）を調整することができ、この調整した回動位置は保持される。
【００１８】
回動部１４の自由端部側軸棒６４はこの実施の形態では、少なくとも先端部にねじ部が形成された金属製のねじ棒で構成されている。このねじ棒６４はアーム６０の自由端部側面に形成された穴７０から第二回動部２２に形成された穴７２を経てアーム５８の自由端部側面に形成された穴６８に通される。ねじ棒６４の先端部はアーム５８の穴６８から突出し、この突出したねじ部をナット７４にねじ込むことによりねじ棒６４はアーム５８，６０間に取り付けられる。このとき第二回動部２２はアーム５８，６０間に挟み込まれた状態となる。この状態でナット７４に対するねじ棒６４のねじ込み量を加減することにより、アーム５８，６０が第二回動部２２を挟み込む力が変化し、これによりアーム５８，６０と第二回動部２２との当接面の摩擦力が変化する。したがってナット７４に対するねじ棒６４のねじ込み量によりこの摩擦力を適度な大きさに予め設定しておくことにより、運転者等はモニタ装置２５に手で力を加えて回動部１４に対する第二回動部２２の回動位置を調整することができ、この調整した回動位置は保持される。
【００１９】
モニタ取付部１６の第二回動部２２は硬質合成樹脂、金属等で構成される。第二回動部２２の中央部上面には図１に明確に示されているように球状のピボット２３が第二回動部２２と一体に形成されている。ピボット２３は据付部２４の下面に形成された球形凹状のピボット受け７６に上側半分が収容される。ピボット２３の基部７８には金属製のピボット押さえリング８０が緩く嵌められている。ピボット押さえリング８０は据付部２４の下面に形成された凹所２４ｃに収容されて、据付部２４に下側から差し込まれる２本のねじ８２（図３）により据付部２４の下面に装着される。２本のねじ８２は据付部２４の上面でナット８４（図３）にそれぞれねじ込まれて留められる。このようにして据付部２４はピボット２３により各方向に傾動自在に第二回動部２２に連結される。この状態でナット８４に対するねじ８２のねじ込み量を加減することによりピボット２３に対するピボット押さえリング８０の押圧力が変化し、これによりピボット２３とピボット受け７６およびピボット押さえリング８０との間の摩擦力が変化する。したがってナット８４に対するねじ８２のねじ込み量によりこの摩擦力を適度な大きさに予め設定しておくことにより、運転者等はモニタ装置２５に手で力を加えて第二回動部２２に対する据付部２４の傾動位置を調整することができ、この調整した傾動位置は保持される。モニタ装置２５は据付部２４に形成された穴２４ｂに通されるねじ（図示せず）により据付部２４の前面２４ａに着脱自在に装着される。
【００２０】
以上の構成の支持具１０をダッシュボード等の被吸着面３５に装着する手順について説明する。被吸着面３５に装着する前は図５に示すように蓋部４６を開位置にする。この状態で支持具１０を被吸着面３５の所望位置に載置する。次いで蓋部４６の上方に向いて露出している内面部分４６ａを指で下方に強く押下して引き棒４２を押し下げる。こうすることにより吸盤３０の中央部が押し下げられて高分子ゲルシート３３と被吸着面３５との間の空間８６（図１）の空気が排出されて高分子ゲルシート３３が被吸着面３５に広い面積で粘着する。このときの状態を図６に示す。この状態からさらに蓋部４６を図１に示すように閉位置に回動させることにより、カム部５７（図５、図６、図７）が金属板５９の表面に当接して引き棒４２が吸盤３０の中央部を伴って引き上げられて高分子ゲルシート３３と被吸着面３５との間の空間８６が負圧化されて吸着力が発生する。これにより支持具１０は被吸着面３５に強く装着された状態となる。この状態では図７に示すように、運転者等が手動操作で回動部１４を回動軸１８を中心に回動させることによりモニタ装置２５の高さ位置を調整することができる。この場合回動部１４は上方に突出した蓋部４６を跨ぐように配置されているので、回動部１４を回動させると回動部１４の枠内に構成される空洞８７に蓋部４６が入り込む。したがって回動部１４は蓋部４６に当たることなく広い角度範囲で回動することができる。この実施の形態の設計では回動軸１８を中心とした回動部１４の回動範囲は、被吸着面３５に平行な位置から上方に９０°以上、下方に２５°で、全体としては１１５°以上に設定されている。また回動軸２０を中心としたモニタ取付部１６の回動範囲は回動軸１８を中心とした回動部１４の回動範囲よりもさらに広く設定されている。したがって回動軸１８を中心とした回動部１４の回動と回動軸２０を中心としたモニタ取付部１６の回動との協働により、モニタ装置２５を被吸着面３５に対し直角の姿勢に維持したまま回動部１４を１１５°以上回動させることができるので、モニタ装置２５の高さ位置を広い範囲で調整することができる。また据付部２４を第二回動部２２のピボット２３（図１）を中心に傾動させることによりモニタ装置２５の傾きを調整することができる。すなわち据付部２４の傾動動作により、モニタ装置２５は少なくとも、支持具１０の前後方向に延びる軸２１（図１、図３）の軸回り方向に傾動自在となり、ダッシュボード等の被吸着面３５が傾いていてもモニタ装置２５を水平に保つことができる。支持具１０を被吸着面３５から外すときは、カバー２６の外周位置に形成されている隆起部２６ｃに指をかけてカバー２６を持ち上げ、隆起部２６ｃの側方の開口部２６ｄ（図７）から指を指し入れて吸盤３０ごと高分子ゲルシート３３を被吸着面３５から引き剥がす。
【００２１】
《実施の形態２》
この発明の実施の形態２を図８から図１２に示す。実施の形態１と共通する機能を有する部分には同一の符号を用いてその説明を省略する。この実施の形態による支持具８９はモニタ取付部１６を回動部１４に対して傾動可能とするのに代えて、回動部１４をベース部１２に対して傾動可能としたものである。すなわち図１０に示すように、カバー２６と押さえ板５４との対向面間には基端部側軸棒６２を通す凹所８８が形成されている。凹所８８は軸方向の中央部に球状空間８８ａを有し、球状空間８８ａに連通してその左右に空洞８８ｂ、８８ｃを有する。空洞８８ｂ、８８ｃは球状空間８８ａから離れるに従い徐々に上下方向に拡開している。球状空間８８ａには基端部側軸棒６２の軸方向中央部に形成された球状の大径部６６が収容される。これにより基端部側軸棒６２は基端部側軸棒６２の中心を通る回動軸１８を中心に回動自在に、かつ大径部６６の中心点６６ａを中心に上下方向に揺動自在にベース部１２に支持される。したがって回動部１４はベース部１２に対して回動軸１８を中心に回動可能で、かつ中心点６６ａを中心に上下方向に傾動可能とされている。この回動部１４の傾動動作によりモニタ装置２５は少なくとも、大径部６６の中心点６６ａを通り支持具８９の前後方向に延びる軸９１の軸回り方向に揺動自在となっている。この実施の形態の設計では回動部１４の傾動角度範囲は図１０に示すように３０°（基準面すなわち被吸着面３５に対して±１５°）に設定されている。このため、ダッシュボード等の被吸着面３５が傾いていてもこの傾動角度範囲内であればモニタ装置２５を水平に保つことができる。自由端部側軸棒６４にはモニタ取付部１６が装着されている。モニタ取付部１６は自由端部側軸棒６４を据付部２４と取り付け治具９０で挟み込んで、据付部２４と取り付け治具９０を４本のねじ９２で連結することにより構成される。これによりモニタ取付部１６は自由端部側軸棒６４の中心を通る回動軸２０を中心に回動自在に自由端部側軸棒６４に装着される。モニタ取付部１６の据付部２４にはモニタ装置２５が載置される。モニタ装置２５は据付部２４に形成された穴２４ｂに下から通されるねじ（図示せず）により据付部２４に装着される。
【００２２】
この実施の形態の設計では回動軸１８を中心とした回動部１４の回動範囲は、被吸着面３５に平行な位置から上方に９０°以上、下方に４０°で、全体としては１３０°以上に設定されている。また回動軸２０を中心としたモニタ取付部１６の回動範囲は回動軸１８を中心とした回動部１４の回動範囲よりもさらに広く設定されている。したがって回動軸１８を中心とした回動部１４の回動と回動軸２０を中心としたモニタ取付部１６の回動との協働により、モニタ装置２５を被吸着面３５に対し直角の姿勢に維持したまま回動部１４を１３０°以上回動させることができるので、モニタ装置２５の高さ位置を広い範囲で調整することができる。
【００２３】
なお前記各実施の形態では、ベース部１２を吸盤３０により被吸着面３５に装着したが、吸盤３０に代えて両面接着テープ等によりベース部１２を被吸着面３５に装着することもできる。また前記実施の形態ではこの発明を車載モニタ装置の支持具に適用した場合について説明したが、この発明は車載用以外のモニタ装置の支持具にも適用することができる。
【図面の簡単な説明】
【００２４】
【図１】この発明の支持具の実施の形態１を示す図で、図３のＡ−Ａ矢視断面図である。
【図２】図１の支持具の斜視図である。
【図３】図１の支持具の平面図である。
【図４】図１の支持具の高分子ゲルシート３３における空気抜き穴３３ａと位置ズレ防止穴３３ｂの配置パターン例を示す図で、（ａ）は平面図、（ｂ）は（ａ）のＢ−Ｂ矢視断面図である。
【図５】図１の支持具を蓋部４６を開いた状態で示す斜視図である。
【図６】図１の支持具を被吸着面３５に載置して引き棒４２を押し下げたときの状態を示す断面図である。
【図７】図１の支持具の側面図である。
【図８】この発明の実施の形態２を示す図で、図９のＣ−Ｃ矢視断面図である。
【図９】図８の支持具の平面図である。
【図１０】図９のＤ−Ｄ矢視断面図で、ベース部１２に対する回動部１４の傾動動作を示す図である。
【図１１】図８の支持具を蓋部４６を開いた状態で示す平面図である。
【図１２】図８の支持具を蓋部４６を開いた状態で示す側面図である。
【符号の説明】
【００２５】
１０，８９…支持具、１２…ベース部、１４…回動部、１６…モニタ取付部、、２１…支持具の前後方向に延びる軸２２…第二回動部、２４…据付部、２５…モニタ装置、２６…カバー、３０…吸盤、３２…吸着面、３５…被吸着面、４２…引き棒、４６…蓋部、５２，８８…凹所、５４…押さえ板、５７…カム部、５８，６０…左右のアーム、６２…基端部側軸棒、６４…自由端部側軸棒、６６…大径部、８６…吸盤と被吸着面との間に形成されている空間、９１…球の中心を通り支持具の前後方向に延びる軸
【図１】
2010076459.tif 000003
【図２】
2010076459.tif 000004
【図３】
2010076459.tif 000005
【図４】
2010076459.tif 000006
【図５】
2010076459.tif 000007
【図６】
2010076459.tif 000008
【図７】
2010076459.tif 000009
【図８】
2010076459.tif 000010
【図９】
2010076459.tif 000011
【図１０】
2010076459.tif 000012
【図１１】
2010076459.tif 000013
【図１２】
2010076459.tif 000014